【手続補正書】
【提出日】平成25年9月19日(2013.9.19)
【手続補正１】
【補正対象書類名】明細書
【補正対象項目名】発明の名称
【補正方法】変更
【補正の内容】
【発明の名称】光増幅装置および光伝送装置
【手続補正２】
【補正対象書類名】明細書
【補正対象項目名】０００１
【補正方法】変更
【補正の内容】
【０００１】
本件は、光増幅装置および光伝送装置に関する。
【手続補正３】
【補正対象書類名】明細書
【補正対象項目名】００１０
【補正方法】変更
【補正の内容】
【００１０】
本件はこのような点に鑑みてなされたものであり、光増幅器の設定される利得に応じて、各波長における利得を平坦に制御することができる光増幅装置および光伝送装置を提供することを目的とする。
【手続補正４】
【補正対象書類名】明細書
【補正対象項目名】００１１
【補正方法】変更
【補正の内容】
【００１１】
上記課題を解決するために、波長多重光を増幅する光増幅装置が提供される。この光増幅装置は、設定された利得で、前記波長多重光を増幅する光増幅器と、前記設定された利得に基づいて、前記波長多重光の各波長の損失をそれぞれ変化させる等化器とを有する。
【手続補正５】
【補正対象書類名】明細書
【補正対象項目名】００１８
【補正方法】変更
【補正の内容】
【００１８】
これに対し、図１の光増幅装置の制御部３は、設定される利得に応じて生じる光増幅器１の利得チルトに対応した損失波長特性を有するように等化器２を制御する。例えば、制御部３の等化器２を制御する損失波長特性は、設定される利得に応じて生じる光増幅器１の利得チルトを打ち消す損失波長特性である。この場合、例えば、利得の変更によって生じる利得チルトは、等化器２の損失波長特性によって打ち消される。すなわち、制御部３は、光増幅器１の設定される利得に応じて、光信号の利得波長特性が平坦となるように等化器２を制御する。
【手続補正６】
【補正対象書類名】明細書
【補正対象項目名】００２４
【補正方法】変更
【補正の内容】
【００２４】
光受信機３３ａ〜３３ｎは、分波器３２で分波された各波長の光信号を受信し、例えば、光送信機１１ａ〜１１ｎから出力された信号を再生する。
図２に示すような、光−電気変換、電気−光変換を行わずに光増幅装置で中継する光伝送システムは、線形中継システムと呼ばれている。線形中継システムは、長距離大容量伝送システムに用いられ、例えば、１０００ｋｍ以上伝送可能な光伝送システムに適用されている。
【手続補正７】
【補正対象書類名】明細書
【補正対象項目名】００３３
【補正方法】変更
【補正の内容】
【００３３】
図５は、ＧＥＱの損失波長特性の一例を示した図である。図５の横軸は波長を示し、縦軸は損失を示す。図５に示す波形Ｗ１２は、ＧＥＱ４８の損失波長特性を示している。
図５に示す波長ａ１１〜ａ１２は、図４と同様にＷＤＭ信号帯域を示している。波形Ｗ１２は、図４で示した波形Ｗ１１と同様の変化をする損失波長特性を有している。すなわち、波形Ｗ１２は、図４で示した波形Ｗ１１と反対の特性を有している。
【手続補正８】
【補正対象書類名】明細書
【補正対象項目名】００３５
【補正方法】変更
【補正の内容】
【００３５】
図６は、ＥＤＦの利得チルトの一例を示した図である。図６の横軸は波長を示し、縦軸は利得を示している。波形Ｗ１３は、ＥＤＦ４６の利得を１ｄＢ減少させたときの利得チルトを示している。すなわち、ＥＤＦ４６は、１ｄＢ利得を下げると、波形Ｗ１３に示すように、波長に対して右肩上がりの利得チルトが生じる。
【手続補正９】
【補正対象書類名】明細書
【補正対象項目名】００３９
【補正方法】変更
【補正の内容】
【００３９】
例えば、ＧＥＱ４８は、ＥＤＦ４６の所定の設定利得において、各波長において平坦となるように損失波長特性を有しているとする。この所定の設定利得と異なる利得をＥＤＦ４６に設定すると、ＧＥＱ４８の出力の利得は、利得チルトによって各波長において平坦にならなくなる。そこで、以下で説明するＤＧＥＱ制御部５７は、ＥＤＦ４６に設定される利得に応じて、ＤＧＥＱ５１の出力での利得（光増幅装置の利得）が平坦となるようにＤＧＥＱ５１を制御する。ＤＧＥＱ制御部５７は、例えば、プロセッサの電気回路によって形成される。
【手続補正１０】
【補正対象書類名】明細書
【補正対象項目名】００５３
【補正方法】変更
【補正の内容】
【００５３】
また、メモリに記憶されていない利得がＥＤＦ４６に設定された場合、ＤＧＥＱ制御部５７は、その設定された利得に近い損失波長特性をメモリから取得し、補間するようにしてもよい。例えば、ＤＧＥＱ制御部５７は、メモリに記憶されていない利得に近い２つの損失波長特性をメモリから取得し、その平均値を算出して、ＥＤＦ４６に設定された利得に対応する損失波長特性を算出するようにしてもよい。
【手続補正１１】
【補正対象書類名】明細書
【補正対象項目名】００６１
【補正方法】変更
【補正の内容】
【００６１】
ＤＭＤ７５のｘ軸方向は、光の波長方向に対応し、回折格子７４で分光された光は、波長ごとにｘ軸方向に分散してＤＭＤ７５に照射される。ｙ軸方向の全軸上には、ｘ軸方向における波長の光が照射される。従って、ＤＭＤ７５は、ｙ軸方向のミラーの個数によって、各波長（ｘ軸上）のコリメータ７６への光の結合効率を変えることができる。ＤＭＤ７５のミラーの角度は、ＤＧＥＱ制御部５７によって制御される。
【手続補正１２】
【補正対象書類名】明細書
【補正対象項目名】００６６
【補正方法】変更
【補正の内容】
【００６６】
ＬＣＯＳ８６のｘ軸方向は、光の波長方向に対応し、回折格子８５で分光された光は、波長ごとにｘ軸方向に分散してＬＣＯＳ８６に照射される。ｙ軸方向の全軸上には、ｘ軸方向における波長の光が照射される。従って、ＬＣＯＳ８６は、ｙ軸方向のＬＣＯＳで光に位相差を生じさせ、干渉を利用することで反射角を変え、コリメータ８７への結合効率を変えることができる。ＬＣＯＳ８６による光の位相差は、ＤＧＥＱ制御部５７によって制御される。
【手続補正１３】
【補正対象書類名】明細書
【補正対象項目名】００７０
【補正方法】変更
【補正の内容】
【００７０】
ＬＣＯＳ９７のｘ軸方向は、光の波長方向に対応し、回折格子９５で分光された光は、波長ごとにｘ軸方向に分散してＬＣＯＳ９７に照射される。ｙ軸方向の全軸上には、ｘ軸方向における波長の光が照射される。従って、ＬＣＯＳ９７は、ｙ軸方向のＬＣＯＳで光の偏光角を変化させ、偏光子９６での光の透過率を変えることで、コリメータ９８への結合効率を変えることができる。ＬＣＯＳ９７による偏光角の変化は、ＤＧＥＱ制御部５７によって制御される。
【手続補正１４】
【補正対象書類名】明細書
【補正対象項目名】００７９
【補正方法】変更
【補正の内容】
【００７９】
［Ｓ１２］ＤＧＥＱ制御部５７は、ＤＧＥＱ５１を制御するか否か判断する。例えば、ＤＧＥＱ制御部５７は、ＤＧＥＱ５１を制御する期間か否か判断する。ＤＧＥＱ制御部５７は、ＤＧＥＱ５１を制御する場合、Ｓ１３に進む。ＤＧＥＱ制御部５７は、ＤＧＥＱ５１を制御しない場合、処理を終了する。
【手続補正１５】
【補正対象書類名】明細書
【補正対象項目名】０１３６
【補正方法】変更
【補正の内容】
【０１３６】
なお、図２１に示す光増幅装置のＡＧＣ制御は、図１６で説明した動作と同様である。また、図１６で説明した処理と、図２２および図２３で説明した処理は、並列に動作される。通常は、ＤＧＥＱ制御よりＡＧＣ制御の方が高速に制御される。ＯＣＭ５０，５３のモニタと、ＤＧＥＱ制御がＡＧＣ制御より高速にできるなら、ＡＧＣ制御よりＤＧＥＱ制御を高速にしてもよい。
【手続補正１６】
【補正対象書類名】特許請求の範囲
【補正対象項目名】全文
【補正方法】変更
【補正の内容】
【特許請求の範囲】
【請求項１】
波長多重光を増幅する光増幅装置において、
設定された利得で、前記波長多重光を増幅する光増幅器と、
前記設定された利得に基づいて、前記波長多重光の各波長の損失をそれぞれ変化させる等化器と、
を有することを特徴とする光増幅装置。
【請求項２】
前記等化器は、前記設定された利得に応じた利得チルトが減少するように、前記波長多重光の各波長の損失をそれぞれ変化させる、
ことを特徴とする請求項１記載の光増幅装置。
【請求項３】
所定利得に応じた利得チルトに基づいて、前記波長多重光の各波長の損失を変化させる固定等化器を更に有し、
前記等化器は、前記所定利得と前記設定された利得に基づいて、前記波長多重光の各波長の損失をそれぞれ変化させる、
ことを特徴とする請求項１又は２に記載の光増幅装置。
【請求項４】
前記等化器の出力の光パワーの波長特性をモニタする第１モニタ部、を有し、
前記等化器は、前記第１モニタ部によってモニタされる光パワーの波長特性が目標の波長特性を有するように、前記波長多重光の各波長の損失をそれぞれ変化させる、
ことを特徴とする請求項１乃至３の何れかに記載の光増幅装置。
【請求項５】
前記光増幅器の出力光の各波長の光パワーをモニタする第１モニタ部、を有し、
前記第１モニタ部は、前記出力光のうち、信号光以外の波長の光を用いて、雑音光のパワーをモニタする、
ことを特徴とする請求項１乃至４の何れかに記載の光増幅装置。
【請求項６】
前記等化器は、２つの前記光増幅器の間に設けられている、
ことを特徴とする請求項１乃至５の何れかに記載の光増幅装置。
【請求項７】
前記等化器は、DMD(Digital Micro mirror Device)を有し、前記DMDのミラーの角度を変化させることで、前記波長多重光の各波長の損失をそれぞれ変化させる、
ことを特徴とする請求項１乃至６の何れかに記載の光増幅装置。
【請求項８】
前記等化器は、前記波長多重光の各波長の位相をそれぞれ変化させるLCOS(Liquid Crystal On Silicon)を有する、
ことを特徴とする請求項１乃至６の何れかに記載の光増幅装置。
【請求項９】
前記等化器は、前記波長多重光の各波長の偏光角を波長毎に変化させるLCOS(Liquid Crystal On Silicon)を有する、
ことを特徴とする請求項１乃至６の何れかに記載の光増幅装置。
【請求項１０】
波長多重光を受信する受信部と、
前記波長多重光を設定された利得で増幅する光増幅部と、
前記増幅された波長多重光を送信する送信部と、を有し、
前記光増幅部は、前記設定された利得に基づいて、前記波長多重光の各波長の損失をそれぞれ変化させる等化器を有する、
ことを特徴とする光伝送装置。